(57)【特許請求の範囲】
【請求項１】
遊技盤の意匠盤面を下側に向けて遊技盤を落下しないように装着する昇降可能な上側の可動部材と、その可動部材の真下に位置する下側の固定部材と、この固定部材に浮き上がらないように搭載され予め設定された釘打位置に多数の無頭釘を可動部材の昇降方向と平行な垂直状に挿入装着する釘支持台とを備え、上記釘支持台は、上記無頭釘が挿入装着される釘挿入用孔と、当該釘支持台の上記可動部材側に設けられて上記可動部材の昇降方向と平行な方向に突出する位置決めピンと、上記釘挿入用孔の底部と当該釘支持台の外側とに貫通する空気逃げ穴とを備え、上記遊技盤は、上記位置決めピンに対向する位置に設けられて上記位置決めピンが嵌合される位置決め孔を備えていることを特徴とする遊技機製造用釘打機。
【請求項２】
遊技盤は、上記意匠盤面が上記可動部材の昇降方向と直交する水平面と所定角度の傾斜を成すように上記可動部材に装着され、釘支持台の上面は、上記可動部材の昇降方向に直交する水平面と上記所定角度を成す平坦な傾斜面となっており、釘支持台の上面から測った釘挿入用孔の深さが同一寸法であることを特徴とする請求項１記載の遊技機製造用釘打機。
【請求項３】
釘支持台に複数の無頭釘を挿入装着するための釘挿入用孔を上方開放状に形成し、この釘挿入用孔の開口周縁に摺鉢状の面取部を形成したことを特徴とする請求項１記載の遊技機製造用釘打機。    
【発明の詳細な説明】
【０００１】
【発明の属する技術分野】
この発明はパチンコ機のような遊技機を製造する際に、遊技盤に釘を打ち込む釘打機に関する。
【０００２】
【従来の技術】
この種の釘打機には、例えば特公平３−４２９０８号公報で開示されたように、遊技盤の意匠盤面を上に向けて、遊技盤を釘打機のテーブルに位置決め搭載し、テーブルを釘打データによる釘打位置と順序とに従って平面内で縦横に移動して遊技盤の所定位置を釘打機の釘ホルダ機構の下方に位置決め停止した後、釘打機の釘供給部から釘ホルダ機構に供給された遊技釘や障害釘と呼ばれる有頭釘を釘打機のハンマ機構で遊技盤に打ち込むようにしたものが知られている。
【０００３】
【発明が解決しようとする課題】
しかし、前記従来の遊技機製造用釘打機では、１枚の遊技盤に２００本〜３００本程度の多数の釘を１本ずつ打ち込む構造であるために、１枚の遊技盤に対する釘打開始から釘打終了までの釘打時間が長くなり、生産効率が低かった。
【０００４】
そこで、この発明は遊技盤に多数の釘を一度に打ち込むことにより、生産効率を向上できる遊技機製造用釘打機を提供しようとするものである。
【０００５】
【課題を解決するための手段】
請求項１の発明にあっては、遊技盤の意匠盤面を下側に向けて遊技盤を落下しないように装着する昇降可能な上側の可動部材と、その可動部材の真下に位置する下側の固定部材と、この固定部材に浮き上がらないように搭載され予め設定された釘打位置に多数の無頭釘を可動部材の昇降方向と平行な垂直状に挿入装着する釘支持台とを備え、上記釘支持台は、上記無頭釘が挿入装着される釘挿入用孔と、当該釘支持台の上記可動部材側に設けられて上記可動部材の昇降方向と平行な方向に突出する位置決めピンと、上記釘挿入用孔の底部と当該釘支持台の外側とに貫通する空気逃げ穴とを備え、上記遊技盤は、上記位置決めピンに対向する位置に設けられて上記位置決めピンが嵌合される位置決め孔を備えていることを特徴としている。
この請求項１の構成によれば、可動部材が上昇限度位置に停止した状態において、遊技盤を可動部材に落下しないように装着し、無頭釘が可動部材の昇降方向と平行な垂直状に挿入装着された釘支持台を固定部材に搭載した後、可動部材が上昇限度位置より下降限度位置に向かい下降する過程において、多数の無頭釘が遊技盤に一度に打ち込まれる。また、位置決めピンを遊技盤の位置決め孔に挿入すれば、遊技盤と無頭釘との位置が左右にずれないように位置決めされる。更に、無頭釘と釘挿入用孔との間に存在する空気が空気逃げ孔より釘支持台の外部に逃げるので、無頭釘の釘挿入用孔への挿入性能が一層高くなる。
請求項２の発明にあっては、請求項１に記載の遊技機製造用釘打機において、上記遊技盤が、上記意匠盤面が上記可動部材の昇降方向と直交する水平面と所定角度の傾斜を成すように上記可動部材に装着されており、上記釘支持台の上面は、上記可動部材の昇降方向に直交する水平面と上記所定角度を成す平坦な傾斜面となっており、上記釘支持台の上面より測った上記釘挿入用孔の深さが同一寸法であることを特徴としている。
この請求項２の構成によれば、多数の無頭釘を遊技盤がパチンコ店の島に設置される上の方に向けて垂直角度より所定角度だけ傾斜して打ち込まれた形態となる。
請求項３の発明にあっては、請求項１に記載の釘支持台に複数の無頭釘を挿入装着するための釘挿入用孔を上方開放状に形成し、この釘挿入用孔の開口周縁に摺鉢状の面取部を形成したことを特徴としている。
この請求項３の構成によれば、無頭釘を複数の釘挿入用孔に挿入する際、面取部が無頭釘を釘挿入用孔の方へ誘導する。    
【０００６】
【発明の実施の形態】
図１〜図３は一実施形態であって、図１は釘打機１の釘打ち込み動作開始前の断面を示し、図２は釘打機１の釘打ち込み動作開始後の断面を示し、図３は無頭釘１４が打ち込まれた遊技盤１０の断面を示す。
【０００７】
図１において、釘打機１は、プレス機械のように、上側の可動部材２とそれの真下に位置する下側の固定部材３とを備える。釘打ち込み動作開始前において、可動部材２は固定部材３より上方に図外の支持部材を介して固定された昇降シリンダのピストンロッド４の上昇停止により上昇限度位置に停止している。可動部材２の下側には遊技盤１０が図外のホルダにより落下しないように装着される。この実施形態では、可動部材２の下面に形成された下方開放の収容凹部２ａに遊技盤１０の意匠盤面１１の反対側の裏面側を収容することにより、遊技盤１０が可動部材２に対し位置決めされる。可動部材２に装着された遊技盤１０の下側に向けられた意匠盤面１１は、可動部材２の下面より下方に突出すると共に、可動部材２の昇降方向に直交する水平面と所定角度θの傾斜を成す。この所定角度θは、図３に示すように無頭釘１４を遊技盤１０にパチンコ店の島に設置される上の方に向けて例えば約５°程度傾斜するように打ち込むための角度である。遊技盤１０は、遊技盤１０に打ち込むべき無頭釘１４の数と同数の下穴１２を意匠盤面１１に予め設定された釘打位置に有し、複数の位置決め孔１３を下穴１２の周囲に備える。可動部材２は逃げ孔５を意匠盤面１１の傾斜方向の下側に位置する位置決め孔１３と上下に対応する位置に備える。
【０００８】
又、釘打ち込み動作開始前において、固定部材３の上側には釘支持台６が搭載される。この実施形態では、固定部材３の上面に形成された上方開放の収納凹部３ａに釘支持台６の下面側を収納することにより、釘支持台６が固定部材３に対し位置決めされた後、図外のホルダにより浮き上がらないように固定される。この釘支持台６は、前記可動部材２に位置決めされた遊技盤１０と位置が上下に対応すると共に、予め設定された釘打位置に多数の釘挿入用孔７を有する。これらの釘挿入用孔７は、釘支持台６の上面に開放されていると共に、上面より同一寸法の深さを有し、更に、可動部材２の昇降方向と平行な垂直状を有する。釘挿入用孔７の開口周縁には摺鉢状の面取部８を有する。釘支持台６には遊技釘や障害釘として１枚の遊技盤１０に打ち込むべき数の多数の無頭釘１４が頭部より釘挿入用孔７に挿入されて同一の所定深さに装着される。無頭釘１４の釘挿入用孔７に挿入装着される頭部側の軸方向に直交する水平断面形状は、釘挿入用孔７の軸方向に直交する水平断面形状に整合する形態である。無頭釘１４は直線棒体の一端を尖端と成した寸胴形になっている。無頭釘１４の頭部側が釘支持台６の釘挿入用孔７に挿入装着された状態において、無頭釘１４の尖端側は釘支持台６の上面より上方に同一寸法を以て直線状に突出する。又、無頭釘１４が釘挿入用孔７を介して釘支持台６に挿入装着された状態において、無頭釘１４は可動部材２の昇降方向に平行な垂直である。この無頭釘１４の尖端側が釘支持台６の上面より突出する寸法は遊技盤１０の厚さよりも小寸法に定められている。これにより、無頭釘１４が遊技盤１０に打ち込まれた場合、無頭釘１４の尖端が遊技盤１０の裏面に突出しない、見栄えの良い態様となる。釘支持台６は複数の位置決めピン９を釘挿入用孔７の周囲に備える。これらの位置決めピン９は遊技盤１０の位置決め孔１３に内接嵌合して整合するような形態に形成されている。
【０００９】
釘支持台６が固定部材３に浮き上がらないように搭載され、多数の無頭釘１４が釘支持台６に挿入装着され、遊技盤１０が可動部材２に落下しないように装着された状態において、遊技盤１０の下穴１２と釘支持台６の無頭釘１４とは位置が上下に対応し、遊技盤１０が無頭釘１４及び位置決めピン９より上方に離隔し、位置決めピン９が遊技盤１０の位置決め孔１３と上下に位置が対応する。
【００１０】
この実施形態の釘打機１では、可動部材２を上昇限度位置から下降限度位置に下降して１枚の遊技盤１０に打つべき数の無頭釘１４を遊技盤１０に一度に打ち込む際、図２に示すように、遊技盤１０の意匠盤面１１と釘支持台６の上面とが接触するような態様としたことから、釘支持台６の上面と遊技盤１０の意匠盤面１１とが平行となるように、釘支持台６の上面が可動部材２の昇降方向に直交する水平面と所定角度θを成す平坦な傾斜面として形成されている。
【００１１】
この実施形態の動作を説明すると、図１に示すように、可動部材２が上昇限度位置に停止した状態において、下穴１２及び位置決め孔１３が形成された遊技盤１０を可動部材２に装着し、無頭釘１４が挿入装着された釘支持台６を固定部材３に搭載する。この状態において、ピストンロッド４が矢印Ｐ方向に下降動作することにより、可動部材２が上昇限度位置より下降限度位置に向かい直線的に下降する。この可動部材２の下降過程において、先ず、位置決めピン９が遊技盤１０の位置決め孔１３に挿入することにより、遊技盤１０に無頭釘１４が打ち込まれる際に遊技盤１０と無頭釘１４との位置が左右にずれないように位置決めされる。次に、多数の無頭釘１４の尖端が遊技盤１０の下穴１２に案内されつつ遊技盤１０に打ち込まれる。
【００１２】
そして、図２に示すように、ピストンロッド４の下降動作が停止することにより、可動部材２が下降限度位置に停止し、遊技盤１０の意匠盤面１１と釘支持台６の上面とが接触し、多数の無頭釘１４の尖端側が遊技盤１０に所定寸法（無頭釘１４の尖端が釘支持台６の上面より突出する寸法と同じ）だけ完全に打ち込まれる。
【００１３】
この図２に示す状態において、ピストンロッド４が矢印Ｐ方向とは逆方向に上昇動作することにより、可動部材２が下降限度位置より上昇限度位置に向かい直線的に上昇する。この可動部材２の上昇過程において、先ず、無頭釘１４の頭部側が可動部材２の上昇に伴う遊技盤１０の上昇と共に釘支持台６の釘挿入用孔７より引き抜かれる。次に、位置決めピン９が遊技盤１０の位置決め孔１３より引き抜かれる。
【００１４】
その後、ピストンロッド４の上昇動作が停止することにより、可動部材２が上昇限度度位置に停止し、遊技盤１０に打ち込まれた多数の無頭釘１４が釘支持台６の上面より上方に離隔する。この状態において、遊技盤１０を可動部材２より取り外して表裏反転することにより、図３に示すように、多数の無頭釘１４が一度に打ち込まれた遊技盤１０を生産効率良く得ることができる。
【００１５】
この実施形態では、遊技盤１０に打ち込む釘として無頭釘１４を用いたと共に、無頭釘１４の頭部側の水平断面形状と釘挿入用孔７の水平断面形状とを整合する形態に形成したので、無頭釘１４の頭部側を釘支持台６の釘挿入用孔７に挿入することにより、無頭釘１４が釘支持台６にふらつきなく装着される。よって、釘支持台６は釘挿入用孔７を直線状の孔とした簡単な構造となる。つまり、遊技盤１０に打ち込む釘として有頭釘を用いた場合は、有頭釘を釘支持台６の釘挿入用孔７に挿入した状態において、有頭釘の胴体と釘挿入用孔７との間に隙間が形成され、有頭釘が釘支持台６にふらつくような装着状態となるので、そのふらつきを防止する手段を釘支持台６に設ける必要がある。しかし、この実施形態のように無頭釘１４を用いれば、上記ふらつき防止手段が必要ないので、それだけ釘支持台６の構造を簡単化できる。
【００１６】
この実施形態では、遊技盤１０の意匠盤面１１を所定角度θに定めたまま、釘支持台６に垂直状に立設した多数の無頭釘１４に対して遊技盤１０を直線的に昇降動作するので、図３に示すように、各無頭釘１４は、遊技盤１０がパチンコ店の島に設置される上の方に向けて垂直角度より所定角度θだけ傾斜して打ち込まれた形態となる。例えば、所定角度θを５°に設定することにより、パチンコ遊技に際し、パチンコ球が傾斜した無頭釘１４に当たりながら流下する過程で遊技盤１０の前方に位置するガラス枠の方向へ行くのを阻止できる。
【００１７】
この実施形態では、釘打ち込み動作開始前において多数の無頭釘１４の頭部側を釘支持台６の釘挿入用孔７に同一の所定深さに装着したので、図３に示すように、多数の無頭釘１４が遊技盤１０に打ち込まれた態様において、各無頭釘１４の遊技盤１０の意匠盤面１１からの高さが同一寸法に設定できる。
【００１８】
この実施形態では、釘支持台６が釘挿入用孔７の開口周縁に摺鉢状の面取部８を有するので、無頭釘１４の頭部側を釘挿入用孔７に挿入する際、面取部８が無頭釘１４を釘挿入用孔７の方へ誘導し、無頭釘１４の釘挿入用孔７への挿入が容易である。
【００１９】
この実施形態の場合、釘挿入用孔７と面取部８及び位置決めピン９が同じ位置に形成された同種の釘支持台６を複数設け、１つの釘支持台６により１枚の遊技盤１０に対する釘打を行う間にもう１枚の釘支持台６に対する多数の無頭釘１４の挿入装着を行うように、複数の釘支持台６を交互に使い分ければ、１つの釘支持台６を固定部材３に搭載したまま無頭釘１４の挿入装着と釘打とを繰り返す場合に比べて、１種類の遊技盤１０に対する釘支持台６の個数は増えるが、無頭釘１４の挿入装着動作と釘打ち込み動作とが同時進行でき、生産効率をより一層向上できる。
【００２０】
前記実施形態では釘支持台６に面取部８を設けたが、面取部８は設けなくても良い。
【００２１】
前記実施形態では釘支持台６に設けた位置決めピン９と遊技盤１０に設けた位置決め孔１３とを嵌合したが、位置決めピン９と位置決め孔１３とを設けなくても良い。又、上記位置決めピン９に代わる位置決めピンを釘支持台６に設け、この位置決めピンと嵌合し得る位置決め孔を可動部材２に設けても良いが、この場合、上記位置決めピンを可動部材２に設け、上記位置決め孔を釘支持台６に設けても同様に適用できる。
【００２２】
前記実施形態では可動部材２の下降限度位置において遊技盤１０の意匠盤面１１と釘支持台６の上面とが接触したが、可動部材２の下降限度位置において遊技盤１０の意匠盤面１１と釘支持台６の上面とが非接触となるように形成しても良い。この場合、図２に仮想線Ｌで示すように釘支持台６の上面を水平面に形成することも可能である。
【００２３】
前記実施形態では釘支持台６に多数の無頭釘１４だけを挿入装着したが、遊技盤１０に取り付けられる風車やガイドレール等のような遊技機能部品より釘のような止め部材を突設し、この止め部材が無頭釘１４の尖端側と同様に釘支持台６の上面より突出するように、遊技機能部品を釘支持台６に埋め込み装着し、無頭釘１４と共に遊技盤１０に取り付けても良い。又、無頭釘１４の頭部を半球形又は頭部の全周縁を傾斜面となるように面取りすれば、無頭釘１４の釘挿入用孔７への挿入がし易くなる。又、図２に仮想線で示すような空気逃げ孔１５又は点線で示すような空気逃げ穴１６を釘挿入用孔７の底部と釘支持台６の外部とに貫通するように形成すれば、無頭釘１４の頭部側の水平断面形状と釘挿入用孔７の水平断面形状との整合性能を高めて、無頭釘１４が釘支持台６に挿入装着された場合のふらつきをより少なくするようにしても、無頭釘１４の頭部側を釘挿入用孔７に挿入する際に、無頭釘１４と釘挿入用孔７との間に存在する空気が空気逃げ孔１５又は空気逃げ孔１６より釘支持台６の外部に逃げて、無頭釘１４の釘挿入用孔７への挿入性能が一層高くなる。又、遊技盤１０に打ち込まれた無頭釘１４の意匠盤面からの高さを全部同一寸法にしたが、釘挿入用孔７の深さを所定部位のみ浅くしたり深くすれば、パチンコ球が衝突した場合に遊技盤１０の意匠盤面からの無頭釘１４の高さの違いにより無頭釘１４の撓み量に変化を生じてパチンコ球の反発力に変化を持たせたり、パチンコ球が衝突する場合に遊技盤１０の意匠盤面からの無頭釘１４の高さの違いによりパチンコ球と無頭釘１４との衝突箇所に変化を生じてパチンコ球の反発方向に変化を持たせることができ、パチンコ球の流れ方が変化に富む遊技を提供できる。
【００２４】
前記実施形態では無頭釘１４を遊技盤１０の意匠盤面１１に対して所定角度θだけ傾斜するように打ち込んだが、無頭釘１４を所定角度θがゼロで遊技盤１０の意匠盤面１１に対して垂直に打ち込む場合には、遊技盤１０を可動部材２に装着する際、遊技盤１０の意匠盤面１１の所定角度θがゼロとなるように、遊技盤１０の意匠盤面１１を可動部材２の昇降方向に直交する水平面と平行となるように装着すれば良い。
【００２５】
前記実施形態の遊技盤１０の意匠盤面１１を設ける遊技基板はベニヤ板、木材の廃材や間伐材等のチップに接着剤を混ぜて圧縮成形により成る固形化材、合成樹脂製からなる固形化材、アセチル化木材等ような各種の素材を使用できる。
【００２６】
【発明の効果】
以上のように請求項１の発明によれば、可動部材が上昇限度位置に停止した状態において、遊技盤を可動部材に落下しないように装着し、多数の無頭釘が挿入装着された釘支持台を固定部材に浮き上がらないように搭載した後、可動部材が上昇限度位置より下降限度位置に向かい下降する過程において、多数の無頭釘が遊技盤に一度に打ち込まれるので、釘支持台の構造が簡単で有りながら、多数の無頭釘が一度に打ち込まれた遊技盤を生産効率良く得ることができる。また、遊技盤と無頭釘との位置が左右にずれないように位置決めされるとともに、無頭釘と釘挿入用孔との間に存在する空気が釘支持台の外部に逃げるので、無頭釘の釘挿入用孔への挿入性能が一層高くなる。
請求項２の発明によれば、遊技盤の意匠盤面を所定角度に定めたまま、釘支持台に垂直状に立設した多数の無頭釘に対して遊技盤を昇降動作するので、多数の無頭釘を遊技盤がパチンコ店の島に設置される上の方に向けて垂直角度より所定角度だけ傾斜して打ち込まれた形態とすることができる。
請求項３の発明によれば、多数の無頭釘を釘挿入用孔に挿入する際、釘挿入用孔の開口周縁の摺鉢状の面取部が無頭釘を釘挿入用孔の方へ誘導するので、多数の無頭釘を釘挿入用孔に容易に挿入できる。    
【図面の簡単な説明】
【図１】  一実施形態の釘打機の釘打ち込み動作開始前の断面図。
【図２】  同実施形態の釘打機の釘打ち込み動作開始後の断面図。
【図３】  同実施形態の釘が打ち込まれた遊技盤の断面図。
【符号の説明】
１  釘打機
２  可動部材
３  固定部材
６  釘支持台
７  釘挿入用孔
８  面取部
１０  遊技盤
１１  意匠盤面
１４  無頭釘
θ  所定角度
【図１】
0004145381.tif 000002
【図２】
0004145381.tif 000003
【図３】
0004145381.tif 000004